(57)【特許請求の範囲】
【請求項１】
実質的にストレートな未加硫または半加硫のゴムホース素材をストレートに延びるホース挿着部材に挿嵌する一方、ホース挿着部材と対向して同軸的に配置された拡径可能なプロテクタ挿着部材の外周上に、該ゴムホース素材の外径より小さな内径を有する未加硫または半加硫のエラストマからなるプロテクタ素材を挿嵌した後、該ゴムホース素材の外径よりも大径に拡径し、該プロテクタ素材を拡径されたプロテクタ挿着部材に内部支持しながら、前記ホース挿着部材に保持されたゴムホース素材に向かって軸方向に押し出して、ゴムホース素材の外周上に該プロテクタ素材を挿嵌し、その後、該プロテクタ素材の挿嵌されたゴムホース素材を曲がり部を有するマンドレルに挿嵌し、該マンドレルに挿嵌した状態の該プロテクタ素材とプロテクタ素材が挿嵌されたゴムホース素材とを同時に加硫成形を行うようにしたことを特徴とするプロテクタ付ホースの製造方法。
【請求項２】
実質的にストレートな未加硫または半加硫のゴムホース素材の外周上に、該ゴムホース素材の外径より小さな内径を有する未加硫または半加硫のエラストマからなるプロテクタ素材を拡径させて挿嵌し、該プロテクタ素材の挿嵌されたゴムホース素材を曲がり部を有するマンドレルに挿嵌し、該マンドレルに挿嵌した状態の該プロテクタ素材とプロテクタ素材が挿嵌されたゴムホース素材とを同時に加硫成形を行うことにより得られるプロテクタ付ホースの製造に用いられる素材組付装置であって、
前記ゴムホース素材の内径より外径の小さいストレートな棒状体であり、その一端側から軸線方向に延びかつ中間部にて該棒状体の外周面に開口するガス導入孔を設けたホース挿着部と、該ホース挿着部の一端側近傍から他端にかけた外周面に被せられかつ両端が外周面に密着固定された薄肉の可撓性のチューブとを設けてなり、該チューブの外周上に前記ゴムホース素材が挿嵌された状態で前記ガス導入孔から気体を導入して該チューブを膨張させることにより該ゴムホース素材を保持するゴムホース挿着装置と、
前記プロテクタ素材の内径より小さな外径の筒状体であり、その内壁の少なくとも一部に軸方向に傾斜した円錐状の傾斜部を設けると共に、該筒状体の両端から交互に他端近傍に向けて軸線方向に延びかつ該筒状体壁を貫通したスリットを設けたプロテクタ挿着部と、該プロテクタ挿着部の中空部分に挿入される棒状体であって前記傾斜部に係合することにより該プロテクタ挿着部を押し広げて拡径させ該プロテクタ挿着部に挿着された前記プロテクタ素材の内径を前記ゴムホース素材の外径以上に拡径させる拡径部材とを備えてなるプロテクタ挿着装置と、該プロテクタ挿着装置に挿着されかつ拡径された前記プロテクタ素材を把持して前記プロテクタ挿着部から引き抜き、該プロテクタ素材を前記ゴムホース挿着装置に挿着されたゴムホース素材の外周上に挿嵌させるプロテクタ挿嵌装置と
を備えたことを特徴とするプロテクタ付ホースの製造に用いられる素材組付装置。
【発明の詳細な説明】
【０００１】
【発明の技術分野】
本発明は、プロテクタ付ホースの製造方法及びこれに用いられる素材組付装置に関する。
【０００２】
【従来の技術】
従来、この種の曲がり形状プロテクタ付ホースの製造方法としては、例えば特開平１−９５００８号公報に示すように、未加硫ゴムホースを曲がり部を有するマンドレルの外周上に嵌挿し、その後この未加硫ゴムホース上に未加硫ゴムよりなるチューブ状のプロテクタを嵌挿し、その後ゴムホースとプロテクタとを同時に加硫する方法が知られている。
【０００３】
【発明が解決しようとする課題】
ところで、上記製造方法において、ホースに対するプロテクタの密着性をよくしてプロテクタの位置ずれをなくするためには、ホース外径に対してプロテクタ内径を小さくすることが望ましい。しかし、ホース外径に対してプロテクタ内径を小さくすると、プロテクタのホースへの挿入時に、ホースの曲がり部分を通過させるのが困難であり、曲がり部通過時の挿入抵抗によりプロテクタが変形するという問題がある。これに対し、ホース外径に対してプロテクタ内径を大きくすると、プロテクタのホースへの挿入性は改善されるが、プロテクタがホース曲がり部において、曲がり部内側部分にしわを発生したり、プロテクタ端部に広がりが生じたりするという問題がある。
【０００４】
また、プロテクタのホースへの取付位置については、製品毎に異なるため、曲がり部を有するマンドレル毎にプロテクタとホースの取付位置を決める位置決め治具を設ける必要があり、マンドレルの管理が煩雑であると共に価格も高価になっていた。さらに、この位置決め治具を備えたマンドレルを用いた場合、量産時には曲がり部を有するマンドレルが上下左右に多数個配設されるため、マンドレル相互が重なり合い、その結果、プロテクタの位置確認が困難になるという問題もある。
本発明は、上記した問題を解決しようとするもので、プロテクタのホースへの挿嵌を容易に行うことができ、挿嵌後のホース及びプロテクタの形状が良好で相互の位置ずれがなくかつ安価なプロテクタ付ホースの製造方法及びこれに用いられる素材組付装置を提供することを目的とする。
【０００５】
【課題を解決するための手段及び発明の効果】
上記目的を達成するために、上記請求項１に係る発明の構成上の特徴は、実質的にストレートな未加硫または半加硫のゴムホース素材をストレートに延びるホース挿着部材に挿嵌する一方、ホース挿着部材と対向して同軸的に配置された拡径可能なプロテクタ挿着部材の外周上に、ゴムホース素材の外径より小さな内径を有する未加硫または半加硫のエラストマからなるプロテクタ素材を挿嵌した後、ゴムホース素材の外径よりも大径に拡径し、プロテクタ素材を拡径されたプロテクタ挿着部材に内部支持しながら、ホース挿着部材に保持されたゴムホース素材に向かって軸方向に押し出して、ゴムホース素材の外周上にプロテクタ素材を挿嵌し、その後、プロテクタ素材の挿嵌されたゴムホース素材を曲がり部を有するマンドレルに挿嵌し、マンドレルに挿嵌した状態のプロテクタ素材とプロテクタ素材が挿嵌されたゴムホース素材とを同時に加硫成形を行うようにしたことにある。
【０００６】
上記のように請求項１に係る発明を構成したことにより、プロテクタ素材の内径を未加硫または半加硫ゴムホース素材の外径より大きくなるように拡径させてストレートなゴムホース素材の外周上に挿嵌することにより、容易に挿嵌することができる。また、挿嵌後に、プロテクタ素材は、縮径することによりその内径がゴムホース素材の外径より小さくなろうとするため、ゴムホース素材の外周上に強固に固定されかつ確実に位置決めされる。
【０００７】
その結果、ゴムホース素材にプロテクタ素材を挿嵌した素材組付品を、曲がり部を有するマンドレルの外周上に挿嵌するときに、プロテクタ素材の位置ずれ及びしわや端部広がりといった変形を防止しつつ簡単に挿嵌させることができる。また、マンドレルにプロテクタ素材が確実に位置決めされるため、マンドレルに位置決め用の治具を設けなくてもよいので、マンドレルの保管も含めたコストを安価にすることができる。
【０００８】
また、上記請求項２に係る発明の構成上の特徴は、実質的にストレートな未加硫または半加硫のゴムホース素材の外周上に、ゴムホース素材の外径より小さな内径を有する未加硫または半加硫のエラストマからなるプロテクタ素材を拡径させて挿嵌し、プロテクタ素材の挿嵌されたゴムホース素材を曲がり部を有するマンドレルに挿嵌し、マンドレルに挿嵌した状態のプロテクタ素材とプロテクタ素材が挿嵌されたゴムホース素材とを同時に加硫成形を行うことにより得られるプロテクタ付ホースの製造に用いられる素材組付装置であって、ゴムホース素材の内径より外径の小さいストレートな棒状体であり、その一端側から軸線方向に延びかつ中間部にて棒状体の外周面に開口するガス導入孔を設けたホース挿着部と、ホース挿着部の一端側近傍から他端にかけた外周面に被せられかつ両端が外周面に密着固定された薄肉の可撓性のチューブとを設けてなり、チューブの外周上にゴムホース素材が挿嵌された状態でガス導入孔から気体を導入してチューブを膨張させることによりゴムホース素材を保持するゴムホース挿着装置と、プロテクタ素材の内径より小さな外径の筒状体であり、その内壁の少なくとも一部に軸方向に傾斜した円錐状の傾斜部を設けると共に、筒状体の両端から交互に他端近傍に向けて軸線方向に延びかつ筒状体壁を貫通したスリットを設けたプロテクタ挿着部と、プロテクタ挿着部の中空部分に挿入される棒状体であって傾斜部に係合することによりプロテクタ挿着部を押し広げて拡径させプロテクタ挿着部に挿着されたプロテクタ素材の内径をゴムホース素材の外径以上に拡径させる拡径部材とを備えてなるプロテクタ挿着装置と、プロテクタ挿着装置に挿着されかつ拡径されたプロテクタ素材を把持してプロテクタ挿着部から引き抜き、プロテクタ素材をゴムホース挿着装置に挿着されたゴムホース素材の外周上に挿嵌させるプロテクタ挿嵌装置とを備えたことにある。
【０００９】
上記のように請求項２に係る発明を構成したことにより、ゴムホース素材を外径がホースの内径より小さいゴムホース挿着装置の棒状体へ容易に挿嵌することができる。その後、ホース挿着部の一端側のガス導入孔から空気を導入することにより、ホース挿着部に被せられた薄肉の可撓性のチューブが膨らみ、ゴムホース挿着装置にゴムホース素材を動かないように保持できる。一方、プロテクタ挿着部にプロテクタ素材を挿嵌した後、プロテクタ挿着部の中空部分に拡径部材を挿入して押し広げることにより、プロテクタ素材の内径をゴムホース素材の外径以上に確実に拡径することができる。そのため、プロテクタ挿着装置に挿嵌され、ゴムホース素材の外径より内径が大きくされたプロテクタ素材を、プロテクタ挿嵌装置によりゴムホース素材上に挿嵌する際に、ゴムホース素材の収縮による外径拡大や波うちを防止しつつ、ゴムホース素材の外周上の所定位置に円滑にかつ確実に挿嵌することができる。プロテクタ素材挿嵌後に、プロテクタ素材は縮径してその内径がホース素材の外径より小さくなろうとするので、ゴムホース素材に強固に固定され確実に位置決めされる。
【００１０】
その結果、ゴムホース素材にプロテクタ素材を挿嵌した素材組付品を、曲がり部を有するマンドレルの外周上に挿嵌するときに、プロテクタ素材の位置ずれ及びしわや端部広がりといった変形を生じることなく簡単に挿嵌させることができる。また、マンドレルにプロテクタ素材が確実に位置決めされるため、マンドレルに位置決め治具を設けなくてもよいので、マンドレルのコストを安価にすることができる。
【００１１】
【発明の実施の形態】
以下、本発明の一実施の形態を図面を用いて説明すると、図１及び図２は、同実施形態に係る未加硫ゴムホース素材に未加硫プロテクタ素材を挿嵌するホースプロテクタ挿嵌装置を正面図（ホース引抜装置を除く）及び平面図により概略的に示したものである。
ホースプロテクタ挿嵌装置は、直方体形状の基台１０を設けている。基台１０は、図１に示すように、前後に各３本づつ立設された支柱１０ａ〜１０ｃ（背面側の３本については図示しない）と、支柱１０ａ〜１０ｃの上端に水平に配設した支持板１１と、支柱１０ａ〜１０ｃの下端にて支柱間に設けられた補強材１２ａ（側面及び背面側については図示しない）とを設けている。また、基台１０の支持板１１上には、左右両端及び背面に垂直板１３ａ〜１３ｃが立設されている。基台１０内の、左側にはホースプロテクタ挿嵌装置の動作を制御する制御装置１４が設けられている。また、支持板１１の右前側には、ホース落下穴１１ａが設けられており、その下側の基台１０内にはシュート１５が設けられている。
【００１２】
支持板１１上には、図１に示すように、略左右中央を境として左側にゴムホース挿着装置２０が設けられており、右側にプロテクタ挿着装置３０が設けられている。また、ゴムホース挿着装置２０及びプロテクタ挿着装置３０の後側にはプロテクタ挿嵌装置４０が設けられており、前側には図２に示すように素材組付品引抜装置５０が設けられている。
【００１３】
ゴムホース挿着装置２０は、支持板１１の左側位置に載置板２１を設け、載置板２１の左右には前後に延びたレール２１ａが設けられており、レール２１ａ上には、横長の取付台２２が前後方向に移動可能に載置されている。取付台２２の後側には、上記垂直板１３ｃに固定されて前方に突出したエアシリンダ２４が取り付けられており、取付台２２は、エアシリンダ２４の作動により載置板２１の前進端から後退端間を駆動するようになっている。取付台２２上には、取付台２２の左端に設けた左右一対の垂直板２２ａ，２２ａに棒状のホース挿着部材２３が軸が水平になるように軸方向一端が取り付けられており、他端は支持板１１の略中央位置にまで延出している。
【００１４】
ホース挿着部材２３は、図３に示すように、ストレートに延びた鉄製の丸棒であり、一端に形成された基端部２３ａと、この基端部から他端に向かって延長した延長部２３ｂとを備えている。そして、基端部２３ａの外径は、延長部２３ｂの外径より大きくなっており、この基端部２３ａが取付台２２に設けた一対の垂直板２２ａ，２２ａに固定され、延長部２３ｂが自由に支持され、この延長部２３ｂ上に薄肉のゴムチューブ２３ｃがその両端を延長部２３ｂの両側に形成されたかしめ部２３ｂ1 ，２３ｂ2 位置でかしめる金具２３ｄ1 ，２３ｄ2 により気密に固定されて構成されている。なお、延長部２３ｂは、両側のかしめ部２３ｂ1 ，２３ｂ2 が細くなっていて、延長部２３ｂに薄肉のゴムチューブ２３ｃを被せて固定した際に、面一になるように工夫されている。また、ホース挿着部材２３は、基端部２３ａ側の端部中心位置から軸心方向に延びた空気通過孔２３ｅを設けており、空気通過孔２３ｅは延長部２３ｂの所定位置にて径方向に延び延長部２３ｂの外周面まで貫通している。この空気通過孔２３ｅに空気供給装置（図示しない）からエアを供給することにより、ゴムチューブ２３ｃが膨らむようになっている。延長部２３ｂには、延長部２３ｂよりやや大きな内径を有する未加硫または半加硫状態のゴムホース素材Ｈが手作業により挿着される。ゴムチューブ２３ｃを膨らませることにより、挿着されたこの未加硫または半加硫状態のゴムホース素材Ｈを内径側からゴムチューブ２３ｃ全体で保持することができる。
【００１５】
プロテクタ挿着装置３０は、上記したゴムホース挿着装置２０と同一支持板１１上に軸方向に移動可能に支持台３１を設けており、支持台３１の左側方にはプロテクタ挿着部３３及び丸棒状のプロテクタ拡径部材３６のそれぞれの軸心が、後退端位置に位置決めされた取付台２２上のホース挿着部材２３と同軸になるように、独立した取付板３２が垂直板１３ｃに対して直角に立設されている。具体的には、取付板３２には、図４に示すように、中央に中央孔３２ａが設けられており、取付板３２の左側面には、中央孔３２ａを囲んで円盤形の挟持板３４が取り付けられている。取付板３２の一端面（左側）には、挟持板３４に挟まれて、プロテクタ挿着部材３３が左方（ホース挿着部材２３）に向けてホース挿着部材２３と同軸的に水平に支持されている。プロテクタ挿着部材３３は、図４及び図５に示すように、一端側に形成された円筒形状の挿着筒部３３ａと、この挿着筒部３３ａの他端に拡径可能に分割して形成された環状の鍔部３３ｂとからなり、プロテクタ挿着部材３３は、交互に、一端から他端近傍まで、また他端から一端近傍まで軸線と平行に延びたそれぞれのスリット３３ｃ、３３ｆを設け、このうち他端から一端近傍まで延びた隣合うスリット３３ｆ，３３ｆで区画された複数の他端にそれぞれ扇状の分割鍔部３３ｇが固着されており、このような挿着筒部３３ａには、未加硫または半加硫状態のゴムまたはエラストマ製のプロテクタ素材Ｐが手作業により挿着される。
【００１６】
また、プロテクタ挿着部材３３は、図４に示すように、軸心に沿って中心空間部３３ｄを設けており、鍔部３３ｂを固着した一端の内径が他端の内径よりわずかに大きな円錐形状になっている。そして、プロテクタ挿着部材３３の外径は、プロテクタ素材Ｐの挿着を容易にするために、挿着されるプロテクタ素材Ｐの内径よりわずかに小さくされることが好ましい。プロテクタ挿着部材３３は、鍔部３３ｂが取付板３２と挟持板３４に挟まれて固定され、分割鍔部３３ｇの外周側がスプリング３４ａに支持されており、鍔部３３ｂは径方向への復元が容易に可能とされている。
【００１７】
また、支持台３１は、支持板１１上にエアシリンダ３７により移動可能に設けられ、支持台３１上に取付台３５が設けられている。そして、取付台３５により丸棒状のプロテクタ拡径部材３６の他端側が固定され一端側が左方向に水平に延びている。プロテクタ拡径部材３６は、上記挿着筒部３３ａに対向しかつ同軸的に配設されている。プロテクタ拡径部材３６は、一端側に向けてわずかに縮径した円錐形状になっており、上記プロテクタ挿着部材３３の外径がプロテクタ内径よりも大きくなるようにされ、支持板１１の右端位置に支持台３１を左右方向に移動させるエアシリンダ３７を設けている。そして、プロテクタ拡径部材３６は、エアシリンダ３７に駆動されて軸方向に移動することにより、プロテクタ挿着部材３３の中心空間部３３ｄ内に挿入される。プロテクタ拡径部材３６がプロテクタ挿着部材３３内に挿入されることにより、挿着筒部３３ａが径方向外方に押されて挿着筒部３３ａのスリット３３ｃ、３３ｆが広げられ、プロテクタ挿着部材３３が相対的に拡径される。具体的には、挿着筒部３３ａの外径すなわち挿着されるプロテクタ素材Ｐの内径を上記ゴムホース素材Ｈの外径以上にすることができる。
【００１８】
ゴムホース挿着装置２０の後方の載置板２１右端と、プロテクタ挿着装置３０の後方のプロテクタ挿着部材３３との間には、プロテクタ挿嵌装置４０が設けられている。プロテクタ挿嵌装置４０は、左右に水平に延びたロッドレスシリンダ４１を設けている。ロッドレスシリンダ４１には、プロテクタ搬送部材４２が、ロッドレスシリンダ４１に沿って移動可能に取り付けられている。
【００１９】
プロテクタ搬送部材４２は、図４に示すように、プロテクタ挿着部材３３に挿嵌され、しかる後拡径されプロテクタ素材Ｐの一端に当接する当接部４２ａと一端端部を把持する筒状の把持部４２ｂとを備えている。そして、拡径されたプロテクタ素材Ｐをプロテクタ挿着部材３３に内部支持しつつ、かかるプロテクタ搬送部材４２をロッドレスシリンダ４１を駆動して、ホース挿着部材２３に保持されたゴムホース素材Ｈに向かってプロテクタ素材Ｐを押し出して、ゴムホース素材Ｈの外周上にプロテクタ素材Ｐを挿嵌できる。
【００２０】
ゴムホース挿着装置２０の前側には、図２に示すように、ゴムホース素材Ｈの外周上にプロテクタ素材Ｐを挿嵌した素材組付品をホース挿着部材２３から引き抜くための素材組付品引抜装置５０が設けられている。素材組付品引抜装置５０は、支持板１１の左端からホース落下穴１１ａの左端近傍まで水平に延びたロッドレスシリンダ５１を備えている。ロッドレスシリンダ５１には、引抜部材５２が、ロッドレスシリンダ５１に沿って移動可能に取り付けられている。この引抜部材５２は、移動部５２ａと、移動部５２ａに取り付けられた把持部５２ｂとを備え、前進端まで移送されている。
【００２１】
つぎに、上記実施形態の動作について説明する。
まず、ゴムホース挿着装置２０は、取付台２２がエアシリンダ２４により載置板２１の前方に押されて前進端位置（図２の二点鎖線位置）に移される。この状態で、離型剤に浸積された未加硫ゴムホース素材Ｈが、手作業によりホース挿着部材２３の延長部２３ｂに挿嵌される。ここでは、ゴムホース素材Ｈの内径は、延長部２３ｂの外径より大きいので、挿着は容易に行われる。なお、ホース挿着部材２３の延長部２３ｂには、素材組付品引抜装置５０の把持部５２ｂが挟さまれており、把持部５２ｂによりゴムホース素材Ｈ挿入端の位置決めが行われる。つぎに、空気供給装置（図示しない）により、基端部２３ａの端部から空気通過孔２３ｅを通してエアが供給される。これにより、延長部２３ｂに被せられた薄肉のゴムチューブ２３ｃが膨らみ、ゴムホース素材Ｈがゴムチューブ２３ｃに支持されて、ホース挿着部材２３に移動変形しないように保持される。
【００２２】
一方、プロテクタ挿着装置３０では、取付台３５が右側端に位置した状態で、プロテクタ挿着部材３３の挿着筒部３３ａに、離型剤に浸積された未加硫のプロテクタ素材Ｐが挿嵌される。この時点では、挿着筒部３３ａの外径は、プロテクタ素材Ｐの内径より小さいので、挿嵌は容易に行われる。その後、エアシリンダ３７により取付台３５を左方向に移動させることにより、プロテクタ挿着部材３３の中心空間部３３ｄ内にプロテクタ拡径部材３６が挿入され、プロテクタ挿着部材３３を径方向に押して拡径させる。これにより、挿着筒部３３ａに挿嵌されたプロテクタ素材Ｐは、拡径されてその内径がゴムホース素材Ｈの外径より大きくされる。この状態で、プロテクタ素材Ｐは、プロテクタ挿嵌装置４０の把持部４２ｂにより把持される。
【００２３】
つぎに、ゴムホース挿着装置２０は、取付台２２がエアシリンダ２４により移動して載置板２１の図２に示す後退端位置に戻される。この状態で、ホース挿着部材２３とプロテクタ挿着部材３３は、同軸位置に先端が対向する。ここで、プロテクタ挿嵌装置４０をロッドレスシリンダ４１に沿ってゴムホース装着装置２０側へ移動させることにより、把持部４２ｂにより把持されたプロテクタ素材Ｐがプロテクタ挿着部材３３から引き抜かれて、ホース挿着部材２３に挿着されたゴムホース素材Ｈの外周面の所定位置に挿嵌される。このとき、ゴムホース素材Ｈは、膨張したゴムチューブ２３ｃにより支持されているため、ゴムホース素材Ｈの外径より内径が大きくされたプロテクタ素材Ｐを、ゴムホース素材Ｈ上に挿嵌する際に、ゴムホース素材Ｈの収縮による外径拡大や波うちを防止でき、プロテクタ素材Ｐを円滑にゴムホース素材Ｈの規定位置に挿嵌することができる。また、プロテクタ素材Ｐの挿嵌後に、プロテクタ素材Ｐは、縮径してその内径がゴムホース素材Ｈの外径より小さくなろうとするため、ゴムホース素材Ｈに強固に固定され確実に位置決めされる。さらに、空気通過孔２３ｅを通してエア供給が停止され、延長部２３ｂに被せられた薄肉のゴムチューブ２３ｃがへこみ、ゴムチューブ２３ｃによるゴムホース素材Ｈの支持が解除される。
【００２４】
つぎに、ゴムホース挿着装置２０は、取付台２２がエアシリンダ２４により移動して載置板２１の前進端位置に移される。ここで、引抜部材５２の移動部５２ａをロッドレスシリンダ５１に沿って移動させることにより、ゴムホース素材Ｈの外周面にプロテクタ素材Ｐの挿嵌された素材組付品が把持部５２ｂに押されて、延長部２３ｂから外れ、ホース落下穴１１ａから落下してシュート１５を通過して、その下側に設けたコンテナ１６内に収容される。
【００２５】
この素材組付品が、手作業により曲がり部を有するマンドレル（図示しない）に挿嵌される。プロテクタ素材Ｐは、上記したように、ゴムホース素材Ｈに強固に固定され確実に位置決めされているため、曲がり部を有するマンドレルの外周面上に挿嵌するときに、プロテクタ素材Ｐの位置ずれ及びしわや端部広がりといった変形を生じることなく簡単に挿嵌させることができる。また、マンドレルにプロテクタ素材Ｐが確実に位置決めされるため、マンドレルに位置決め用の治具を設けなくてもよいので、マンドレルの保管も含めたコストを安価にすることができる。
その後、マンドレルに挿嵌された状態で、ゴムホース素材Ｈとプロテクタ素材Ｐの同時加硫が行われる。これにより加硫工程を１回で済ませることができる。
【００２６】
なお、上記実施形態においては、プロテクタ素材Ｐのゴムホース素材Ｈへの挿嵌を挿嵌装置を用いており、また素材組付品の引き抜きを素材組付品引抜装置により行っているが、これらを手作業により行うこともできる。
【図面の簡単な説明】
【図１】本発明の一実施形態に係るプロテクタ付ホースの素材組付装置を概略的に示す正面図である。
【図２】同プロテクタ付ホースの素材組付装置を概略的に示す平面図である。
【図３】同素材組付装置の要部であるホース挿着装置を概略的に示す断面図である。
【図４】同素材組付装置の要部であるプロテクタ挿着装置を概略的に示す断面図である。
【図５】プロテクタ挿着部材を概略的に示す斜視図である。
【符号の説明】
１０…基台、１１…支持板、１１ａ…ホース落下孔、２０…ゴムホース挿着装置、２１…載置板、２２…取付台、２３…ホース挿着部材、２３ａ…基端部、２３ｂ…延長部、２３ｃ…ゴムチューブ、２３ｅ…空気通過孔、２４…エアシリンダ、３０…プロテクタ挿着装置、３１…支持台、３２…取付板、３３…プロテクタ挿着部材、３３ａ…挿着筒部、３３ｂ…鍔部、３３ｃ，３３ｆ…スリット、３３ｄ…中心空間部、３４…挟持板、３４ａ…スプリング、３５…取付台、３６…プロテクタ拡径部材、３７…エアシリンダ、４０…プロテクタ挿嵌装置、４１…ロッドレスシリンダ、４２…プロテクタ搬送部材、４２ａ…当接部、４２ｂ…把持部、５０…素材組付品引抜装置、５１…ロッドレスシリンダ、５２…引抜部材、５２ａ…移動部、５２ｂ…把持部、Ｈ…ゴムホース素材（未加硫ゴムホース）、Ｐ…プロテクタ素材（未加硫プロテクタ）。
【図１】
0003669087.tif 000002
【図２】
0003669087.tif 000003
【図３】
0003669087.tif 000004
【図４】
0003669087.tif 000005
【図５】
0003669087.tif 000006